(57)【要約】【課題】ホワール音等を生じる自励振動を有効に抑制できるターボチャージャの軸受構造を提供する。【解決手段】タービンホイールおよびコンプレッサホイールを一体的に連結するタービンシャフト１１が軸受ブッシュを介してターボ本体１０に回転自在に支持されるターボチャージャの軸受構造において、浮動ブッシュ軸受２１とターボ本体１０の間に位置する制振材３１と、浮動ブッシュ軸受２１を取り囲むとともに、浮動ブッシュ軸受２１がセンターハウジング１４に対し振動するとき浮動ブッシュ軸受２１とは逆の位相で振動するよう制振材３１に遊嵌状態で保持された環状の慣性質量体３２と、を備える。【選択図】図１
2010174811.tif 000002
【特許請求の範囲】
【請求項１】
タービンホイールおよびコンプレッサホイールを一体的に連結するロータシャフトが軸受ブッシュを介してハウジングに回転自在に支持されるターボチャージャの軸受構造において、
前記軸受ブッシュと前記ハウジングの間に位置する制振材と、
前記軸受ブッシュを取り囲むとともに、前記軸受ブッシュが前記ハウジングに対し振動するときに前記軸受ブッシュとは逆の位相で振動するよう前記制振材に遊嵌状態で保持された環状の慣性質量体と、を備えたことを特徴とするターボチャージャの軸受構造。
【発明の詳細な説明】
【技術分野】
【０００１】
本発明は、ターボチャージャの軸受構造、特に車両用エンジン等に装備され、いわゆるホワール音等を生じる自励振動を抑制するようにしたターボチャージャの軸受構造に関する。
【背景技術】
【０００２】
車両用エンジン等に装備されるターボチャージャにおいては、タービンホイールとコンプレッサホイールをシャフトで連結したロータが、過酷な環境下で高速回転するため、滑り軸受の一種である浮動ブッシュを介してハウジングに支持されるようになっていることが多い。このようなターボチャージャの軸受構造では、潤滑油の供給によってブッシュとシャフトの間に油膜が形成されるとともに、浮動ブッシュが内外の油膜に支持される浮動状態あるいは半浮動状態となった状態で、シャフトが高速回転する。したがって、シャフトの回転抵抗が抑えられる。しかし、シャフトの高速回転状態下で、前記油膜が不安定になったり油膜の性質が変化したりすることで、車両の緩加速時等に運転者に特定の異音（ホワール音）として感じられ易い自励振動（以下、ホワール振動ともいう）が生じたり、ジャーナルの自励的な振れ回り（オイルウィップ）が生じたりすることが知られている。
【０００３】
従来のこの種のターボチャージャの軸受構造としては、例えばシャフトの両端側に位置するフローティングメタルを減衰性のある材料からなる油孔付の軸受スリーブの高精度の軸受保持孔部に保持させて、この軸受スリーブをハウジングに支持させるようにしたものがある（例えば、特許文献１参照）。
【０００４】
また、多用途の防振構造として、振動部に対し独立して振動できるように切り離した防振部材を設けて、振動部と防振部材を異なる位相で振動させるようにしたものが知られている（例えば、特許文献２参照）。
【先行技術文献】
【特許文献】
【０００５】
【特許文献１】特開２００１−２９５６５５号公報
【特許文献２】特表２００２−５４０４６３号公報
【発明の概要】
【発明が解決しようとする課題】
【０００６】
しかしながら、上記従来のターボチャージャの軸受構造にあっては、減衰性のある軸受スリーブによって高周波振動をある程度抑制できるものの、比較的低い周波数域で突発することがあり、車両、特にディーゼル車両の運転者に特定の異音（ホワール音）と感じられ易いホワール振動を有効に抑制することができなかった。
【０００７】
また、このホワール振動がシャフトの回転方向に旋回することから、単に振動部に慣性質量を保持させ、直線的に運動させる程度の防振構造を付加しても、ホワール振動を確実に抑制することが困難であった。
【０００８】
そこで、本発明は、ホワール音等を生じる自励振動を有効に抑制できるターボチャージャの軸受構造を提供することを目的とする。
【課題を解決するための手段】
【０００９】
本発明に係るターボチャージャの軸受構造は、上記目的達成のため、タービンホイールおよびコンプレッサホイールを一体的に連結するシャフトが軸受ブッシュを介してハウジングに回転自在に支持されるターボチャージャの軸受構造において、前記軸受ブッシュと前記ハウジングの間に位置する制振材と、前記軸受ブッシュを取り囲むとともに、前記軸受ブッシュが前記ハウジングに対し振動するときに前記軸受ブッシュとは逆の位相で振動するよう前記制振材に遊嵌状態で保持された環状の慣性質量体と、を備えたことを特徴とする。
【００１０】
この構成により、シャフトおよび軸受ブッシュが油膜の状態により振動したりその振動が旋回したりする自励振動が生じても、環状の慣性質量体が、制振材に衝突しながらシャフトおよび軸受ブッシュとは逆の位相でかつ任意の方向に振動することで、そのような自励振動が有効に抑制されることになる。また、質量体をバネ要素を介して振動部に結合するダイナミックダンパのように振動抑制効果が特定の振動周波数に制限されないので、ホワール振動が確実に抑制できる。
【００１１】
なお、制振材は、減衰性または弾性を有するとともに、環状の慣性質量体を収納する環状の内部空間を有しているのがよく、遊嵌状態の慣性質量体の制振材との隙間は、ホワール振動等の自励振動の抑制に有効な隙間の範囲として実験的に得られる特定の微小隙間の範囲内に設定される。
【発明の効果】
【００１２】
本発明によれば、シャフトおよび軸受ブッシュに自励振動が生じても、環状の慣性質量体を逆の位相で振動させるようにしているので、自励振動を有効に抑制することができ、ホワール振動等の自励振動を有効に防止することができるターボチャージャの軸受構造を提供することができる。
【図面の簡単な説明】
【００１３】
【図１】本発明の一実施形態に係るターボチャージャの軸受構造を採用する部位を説明するとともにターボホワール音の発生メカニズムを示すブロック図である。
【図２】本発明の一実施形態に係るターボチャージャの軸受構造における軸受の配置図である。
【図３】本発明の一実施形態に係るターボチャージャの軸受構造の要部断面図である。
【図４】図３のＩＶ−ＩＶ断面図である。
【図５】本発明の一実施形態に係るターボチャージャの全体構成を示す断面図である。
【発明を実施するための形態】
【００１４】
以下、本発明の好ましい実施形態について、図面を用いて説明する。
【００１５】
図１〜図５は、本発明の一実施形態に係るターボチャージャを示す図である。なお、本実施形態は、本発明を車両用の内燃機関、例えばディーゼルエンジン（以下、単にエンジンという）に装備されるターボチャージャの軸受構造に適用するものである。
【００１６】
まず、図２および図５を用いて、一実施形態のターボチャージャの全体構成について説明する。
【００１７】
図２および図５に示すように、ターボチャージャ１は、タービンシャフト１１（ロータシャフト）と、タービンシャフト１１の一端側（両図中の左端側）に一体に連結され図示しないエンジンの排気により回転駆動される公知のタービンホイール１２と、タービンシャフト１１の他端側に一体に連結され回転により遠心圧縮作用をなす公知のコンプレッサホイール１３と、タービンシャフト１１を回転自在に支持するセンターハウジング１４と、センターハウジング１４に連結されてタービンホイール１２を収納するとともに、ノズル型の排気通路１５を形成するタービンハウジング１６と、センターハウジング１４に連結されてコンプレッサホイール１３を収納するとともにコンプレッサホイール１３からの空気を減速するディフューザ型の吸気通路１７を形成するコンプレッサハウジング１８と、を備えている。
【００１８】
ここで、センターハウジング１４、タービンハウジング１６およびコンプレッサハウジング１８は、ターボチャージャ１のハウジングであるターボ本体１０を構成している。
【００１９】
タービンシャフト１１は、排気通路１５からの排気エネルギによってタービンホイール１２が回転駆動されるとき、タービンホイール１２と一体に回転するようになっており、このタービンシャフト１１の回転によって、コンプレッサホイール１３を回転させ、エンジンの吸気通路内に空気を過給するようになっている。また、コンプレッサホイール１３の背面側には軸穴封止用のシール部材１９が装着されており、シール部材１９とセンターハウジング１４の間にラビリンスシールが構成されている。
【００２０】
図５に示すように、ノズル型の排気通路１５は、その上流側の排気通路部分１５ａで排気マニホールド内の排気通路に連通しており、排気マニホールドからの排気ガスが流入する。また、この排気通路１５は、上流側の排気通路部分１５ａからタービンホイール１２に向かって放射内方へと湾曲させられたノズル通路部分１５ｂを有しており、そのノズル通路部分１５ｂを通り加速された排気ガスによって、タービンホイール１２が駆動されるようになっている。タービンホイール１２より下流側の排気通路部分１５ｃは、公知の排気浄化装置が装着された排気管内に連通している。
【００２１】
一方、吸気通路１７は、その上流側の吸気通路部分１７ａで図示しないエアクリーナに接続されており、エアクリーナを通して空気を吸入できるようになっている。また、この吸気通路１７は、上流側の吸気通路部分１７ａの下流側でコンプレッサホイール１３によって中心部から放射外方へと湾曲させられており、その下流のディフューザ通路部分１７ｂがコンプレッサホイール１３の周りを取り囲むとともにタービンシャフト１１とほぼ直交する円環状の板状通路となっている。コンプレッサホイール１３より下流側の吸気通路部分１７ｃは、ディフューザ通路部分１７ｂの外周部に接続された渦巻状の下流端で、図外のインタークーラを介してスロットルバルブ等が配置されたエンジンの吸気ポート側の吸気通路に接続されている。
【００２２】
また、タービンシャフト１１が貫通するセンターハウジング１４の中心部には、タービンシャフト１１を回転自在に支持するための複数の軸受、例えば一対の浮動ブッシュ軸受２１、２２（軸受ブッシュ）と、タービンシャフト１１を軸方向で位置決めする位置決め手段（符号なし）等が装着されている。
【００２３】
さらに、センターハウジング１４には、一対の浮動ブッシュ軸受２１、２２に加圧された潤滑油を供給する油路２５が形成されている。
【００２４】
図２〜図４に示すように、浮動ブッシュ軸受２１、２２は、放射方向に貫通する少なくとも１つの油孔２１ａ、２２ａを有し、それぞれタービンシャフト１１とセンターハウジング１４との間に介装されている。また、浮動ブッシュ軸受２１、２２は、タービンシャフト１１およびセンターハウジング１４との間にそれぞれ予め設定された微小クリアランスを持つように寸法設定されている。
【００２５】
これら浮動ブッシュ軸受２１、２２は、油路２５を通して油孔２１ａ、２２ａ内に潤滑油が加圧・供給されるとき、その内周面側および外周面側に、タービンシャフト１１とセンターハウジング１４の間に位置する２重の油膜を形成することで、これら内外の油膜に支持される浮動状態あるいは半浮動状態となった状態で、タービンシャフト１１を高速回転可能に支持することができるようになっている。
【００２６】
浮動ブッシュ軸受２１、２２のうち少なくとも一方、例えば両浮動ブッシュ軸受２１、２２とセンターハウジング１４の間には、図１〜図３に示すように、中空の環状、例えば円環状の制振材３１と、浮動ブッシュ軸受２１または２２を取り囲むように制振材３１の内部に遊嵌状態で保持された環状、例えば円環状の慣性質量体３２とが、それぞれ設けられている。なお、以下の構成の説明では、タービンホイール１２側の浮動ブッシュ軸受２１を取り囲む環状の制振材３１および円環状の慣性質量体３２の構成を主に説明するが、コンプレッサホイール１３側の浮動ブッシュ軸受２２を取り囲む環状の制振材３１および円環状の慣性質量体３２についても、同様である。
【００２７】
環状の制振材３１は、ゴムのような弾性を有する任意の材料あるいは可撓性のある発泡金属等のような減衰性のある材料からなる弾性体であり、浮動ブッシュ軸受２１（または２２）を介してタービンシャフト１１側からの径方向の力（側圧）を受けるときにはその力に応じて弾性変形できるように構成されている。この制振材３１は図３に示すようにその周方向各位置の断面３１ｓの外周形状が方形、例えば正方形になっており、その断面３１ｓの中心付近の中空孔３１ａの断面形状は、直径ｄ１の円形となっている。すなわち、制振材３１は、減衰性または弾性を有するとともに、環状の慣性質量体３２を収納する環状の内部空間としての中空孔３１ａを有している。
【００２８】
この制振材３１の中空孔３１ａは、環状の慣性質量体３２の円形の断面３２ｓの直径ｄ２より大きくなっており、一方、制振材３１の環状の中空孔３１ａの中心軸線（円）の直径Ｄは、環状の慣性質量体３２の中心径Ｄと同一に設定されている。
【００２９】
また、環状の制振材３１の中空孔３１ａの断面の直径ｄ１と環状の慣性質量体３２の円形の断面３２ｓの直径ｄ２との差異はわずかであり、中空孔３１ａ内における環状の慣性質量体３２の遊び代はその直径ｄ２に対して十分に小さくなっている。すなわち、環状の慣性質量体３２は、制振材３１の内部に、制振材３１の中空内壁面との間に微小なクリアランス（ｄ１−ｄ２）を持つ遊嵌状態で保持されている。この遊嵌状態の慣性質量体３２の制振材３１との隙間（ｄ１−ｄ２）は、ホワール振動等の自励振動の抑制に有効な隙間の範囲として、予め実験的に得られる特定の微小隙間の範囲内に設定されており、例えばタービンシャフト１１と浮動ブッシュ軸受２１の間の設定隙間ｇ１（図４参照）や制振材３１の内周面３１ｂと浮動ブッシュ軸受２１との間の設定隙間ｇ２と同程度の隙間が形成される。
【００３０】
環状の慣性質量体３２は、ホワール振動を生じる浮動ブッシュ軸受２１の質量に対し、一定比以上の質量を有しており、例えば金属製のリングで構成されている。そして、不安定な油膜を挟む浮動ブッシュ軸受２１およびタービンシャフト１１がホワール振動等の自励振動を生じるとき、この環状の慣性質量体３２は、その慣性質量によって中空孔３１ａ内で制振材３１に衝突しながら、浮動ブッシュ軸受２１とは逆の位相で、かつ、前記微小クリアランスに近い振幅で振動し、その自励振動に対する制振作用を生じるようになっている。
【００３１】
ところで、図１に示すように、タービンシャフト１１および浮動ブッシュ軸受２１側からターボ本体１０に対して何らかの振動が伝達されるとき、その振動は、ターボ本体の放射音特性に応じて放射音を生じさせ、車両の音響感度に応じて車内音として車室内に伝播される。また、ターボ本体１０の振動は、排気系をその振動特性に応じて振動させ、その振動がサポートゴムの剛性等の特性に応じて車両側に伝達され、車両の音圧感度に応じた車内音としても車室内に伝播される。したがって、従来の軸受構造であれば、ターボ本体１０に対してホワール振動が有効に抑制されないまま伝達されてしまい、ターボ放射音が生じるとともに、排気系にもホワール振動が伝わり、車室内の運転者等に異音と感じられるホワール音が生じてしまうことになる。
【００３２】
次に、作用について説明する。
【００３３】
上述のように構成された本実施形態のターボチャージャの軸受構造においては、タービンシャフト１１が回転すると、浮動ブッシュ軸受２１、２２が、タービンシャフト１１およびセンターハウジング１４との間の隙間内で、専らタービンシャフト１１側の油膜から回転トルクを受けるとともに、センターハウジング１４側の油膜からは制動トルクを受けるといった状態で浮動することになる。
【００３４】
このような状態において、浮動ブッシュ軸受２１、２２のうち少なくとも一方の油膜の不安定化に起因して、タービンシャフト１１および浮動ブッシュ軸受２１、２２が振動したりその振動が旋回したりする自励振動が生じると、制振材３１の内周部にその振動が径方向に加わる力の大きさおよび方向の変化を伴って伝達される。
【００３５】
そして、その振動により制振材３１の内周部が弾性変形すると、環状の慣性質量体３２が、その慣性により制振材３１に衝突しながら制振材３１とは逆の位相で制振材３１の振動方向（双方向）に対応する任意の方向に振動することになる。したがって、タービンシャフト１１および浮動ブッシュ軸受２１、２２の自励振動が、有効に抑制されることになる。
【００３６】
また、制振材３１および環状の慣性質量体３２は、質量体をバネ要素を介して振動部に結合するダイナミックダンパのように振動抑制効果が特定の振動周波数に制限されない制振手段となるので、ホワール振動等の自励振動の振動周波数がばらついても、その自励振動を確実に抑制できることになる。
【００３７】
このように、本実施形態においては、タービンシャフト１１および浮動ブッシュ軸受２１、２２に自励振動が生じても、環状の慣性質量体３２がこれらのどの方向の振動に対しても逆の位相で振動できるようになっているので、自励振動を有効に抑制することができ、ホワール振動等の自励振動を有効に防止することができるターボチャージャの軸受構造を提供することができる。
【００３８】
なお、上述の実施形態においては、制振材３１は中空孔３１ａを有する環状のものとしたが、制振材３１は、外周側に開口や溝を有していてもよいし、外周が多角形でもよい。すなわち、制振材３１は、内周面が実質的に円筒支持面であればよく、また、タービンシャフト１１側からの径方向の力に応じて変形可能であり、かつ、環状の慣性質量体を微小クリアランスの遊嵌状態で保持できるものであれば、完全に閉じた中空の環状体である必要はない。制振材３１の内周部に図４に示すような軸方向の溝３１ｃを形成し、円筒内周面を分割してもよい。
【００３９】
また、環状の慣性質量体３２は、金属製のリングで構成されるものとしたが、必要な慣性質量を狭い設置スペース内で持ち得るものであれば、金属程度に比重の大きい金属以外の材料からなるものであってもよい。
【００４０】
さらに、環状の慣性質量体３２は、同一の円周上に位置する複数の部材に分割された状態で制振材の複数の対応する孔の内部に遊嵌状体で保持されるようにしてもよい。すなわち、ここにいう環状の慣性質量体は、全体としては重心がタービンシャフト１１の回転中心軸線上に位置し、ホワール振動時にタービンシャフト１１とは逆の位相で振動でき、かつ、任意の径方向の振動入力に対し全体として１つの環状慣性質量体と同等に機能し得るものであれば、複数の部分に分割され得る。
【００４１】
以上説明したように、本発明に係るターボチャージャの軸受構造は、シャフトおよび軸受ブッシュに自励振動が生じても、環状の慣性質量体を逆の位相で振動させるようにしているので、自励振動を有効に抑制することができ、ホワール振動等の自励振動を有効に防止することができるターボチャージャの軸受構造を提供することができるという効果を奏するものであり、ターボチャージャの軸受構造、特に車両用エンジン等に装備され、ホワール音等を生じる自励振動を抑制するようにしたターボチャージャの軸受構造全般に有用である。
【符号の説明】
【００４２】
１  ターボチャージャ
１０  ターボ本体（ハウジング）
１１  タービンシャフト（ロータシャフト）
１２  タービンホイール
１３  コンプレッサホイール
１４  センターハウジング
１５  排気通路
１５ａ  上流側の排気通路部分
１５ｂ  ノズル通路部分
１５ｃ  下流側の排気通路部分
１６  タービンハウジング
１７  吸気通路
１７ａ  上流側の吸気通路部分
１７ｂ  ディフューザ通路部分
１７ｃ  下流側の吸気通路部分
１８  コンプレッサハウジング
１９  シール部材
２１、２２  浮動ブッシュ軸受（軸受ブッシュ）
２１ａ、２２ａ  油孔
２５  油路
３１  制振材
３１ａ  中空孔
３１ｓ  断面
３２  慣性質量体
３２ｓ  断面
【図１】
2010174811.tif 000003
【図２】
2010174811.tif 000004
【図３】
2010174811.tif 000005
【図４】
2010174811.tif 000006
【図５】
2010174811.tif 000007